(57)【要約】      （修正有）【課題】運動強度を調節可能な腕の筋肉鍛錬器の提供。【解決手段】底面に貫通孔が形成される中空形状の筒体１１と、筒体１１の両側面にアーム連結部１４が設けられたヘッド部１０と、アーム連結部１４にピボット連結される一対のアーム２０と、各アーム２０に一端が連結され、傾くように下側に延長される一対のリンク５０と、筒体１１に上下方向に設置されるコイルバネと、前記コイルバネの上端を支持する加圧片が上端に連結され、前記コイルバネを貫通し、前記貫通孔を通じて下部に延長され、下部に係止部が形成されたラック部分が設けられたロッド４０と、ヘッド部１０の下側に離隔されて配置され、各リンク５０の他端が両側面にピボット連結され、内部には、前記ラック部分が移動可能に挿入される貫通ホールが設けられたカバーと、前記カバーに装着される弾性力調節部６０とを含む。【選択図】図１
2011156358.tif 000002
【特許請求の範囲】
【請求項１】
底面に貫通孔が形成された中空形状の筒体と、前記中空形状の筒体の両側面に形成されたアーム連結部とを含むヘッド部と；
前記アーム連結部に各々ピボット連結される一対のアームと；
前記各アームに一端が連結され、傾くように下側に延長される一対のリンクと；
前記中空形状の筒体に上下方向に設置されるコイルバネと；
前記コイルバネの上端を支持する加圧片が上端に連結され、前記コイルバネを貫通して前記貫通孔を経て下部に延長され、下部に係止部が形成されたラック部分が設けられたロッドと；
前記ヘッド部の下側に離隔されて配置され、前記各リンクの他端が両側面にピボット連結され、内部には、前記ラック部分が移動可能に挿入される貫通ホールが設けられたカバーと、前記カバーに装着され、外部に露出され、ユーザの操作が可能な押圧部と、前記押圧部の操作によって前記ラック部分の係止部と係合・分離可能な係合部を有するフック部材とを含む弾性力調節部と；を含むことを特徴とする腕力器。
【請求項２】
前記ラック部分の係止部は、歯形を成す溝が下側に傾いたラック歯形で形成され、
前記フックの係合部は、前記ラック歯形と係合する対応歯形を有する形態で形成され、
係止部と係合部が歯形結合された状態で、ラック部分を下側に押す力が作用する時は力が伝達され、フックがラック部分を上側に引く力が作用するときは、フックの係合部が係止部の歯形に沿ってスリップ移動するように構成されたことを特徴とする請求項１に記載の腕力器。
【請求項３】
前記フックは、前記弾性力調節部のカバーの内部に前記貫通ホールの側面に配置された設置空間部に中心部が回動自在に連結され、上端は、前記カバーの外部に延長されて前記押圧部を形成し、下端は、前記ラック部分の係止部に向かって延長されて係合する前記係合部を形成し、
前記フックには、前記押圧部が押圧されない状態では、前記係合部が前記ラック部分の係止部と係合状態を維持するようにするバネが設置されたことを特徴とする請求項１または２に記載の腕力器。
【請求項４】
前記フックは、前記弾性力調節部の前面に１個設置されることを特徴とする請求項３に記載の腕力器。
【請求項５】
前記ラック部分の表面には、腕力器の弾性力の強度を示すことができる数字、文字または記号からなる表示部が設けられ、  
前記ラック部分に表示された前記表示部が前記カバーの外側に露出される状態によって腕力器の調節された弾性力強度を把握することができるようにしたことを特徴とする請求項１または２に記載の腕力器。
【発明の詳細な説明】
【技術分野】
【０００１】
本発明は、腕力器に関し、手、腕、肩の筋力を鍛えるために使用される運動器具に関する。
【背景技術】
【０００２】
一般的に、腕力器は、ユーザが両手で左右アームを各々把持した後、力を加えて、アームが最大に接近した位置に該当する折れ位置に向かって移動させ、力を解除すれば、アームが腕力器に設けられたバネの弾性力によってアームが離隔された本来の運動開始位置に戻る運動器具であって、このようなアームの繰り返し動作によって腕や肩の筋力を強化させる運動器具である。腕力器は、片手で把持することができるように小型で製作されることもでき、この場合、握力を向上させる運動器具として使用される。
【０００３】
従来の腕力器は、ユーザが一対のアームを相互接近移動させる時、アームの移動を妨害し、筋力を向上させる力の提供手段として引張コイルバネを使用している。すなわち、アームが互いに接近する時、引張コイルバネが伸びながら弾性力を提供する。
【０００４】
しかし、引張コイルバネを使用する場合、末端の環部に応力が集中され、上記環部が破断やすいという問題点があり、消費者に不満を与えている。
【０００５】
このような問題点を解決するためにアームが相互接近する動作を、リンク連結を通じてヘッド部に設けられたコイルバネの圧縮動作で連結する方式の腕力器が開示されている。
【０００６】
一方、腕力器による運動が最大の効率を示すためには、ユーザの腕力に相当する強度の弾性力が提供されることが必要である。すなわち、バネで弾性力が発生しないアームの本来の位置である運動開始位置から、アームが最大に接近する位置に移動した位置である折れ位置に移動する時、折れ位置で提供される弾性力の強度が運動者の腕力運動に最も適当な状態で最適の運動効果を示す。弾性力の強度が非常に強い場合には、筋肉に負担を与えることができ、弾性力の強度が非常に弱い場合には、運動効果を期待することができない。
【０００７】
しかし、ユーザごとに腕力の強度が異なっているので、腕力器には、ユーザが意図する強度で弾性力が調節され得るように、弾性力調節手段を備えることが求められている。
【発明の概要】
【発明が解決しようとする課題】
【０００８】
本発明は、上記問題点を解決するためになされたもので、その目的は、腕力器の弾性力の強度を調節することが容易に行うことができる構造の腕力器を提供することにある。
【０００９】
また、本発明の他の目的は、保管時に簡単にアームが完全に折れた状態で保管することが可能な腕力器を提供することにある。
【課題を解決するための手段】
【００１０】
上記目的を達成するために、本発明による腕力器は、底面に貫通孔が形成される中空形状の筒体と、前記中空形状の筒体の両側面にアーム連結部が設けられたヘッド部と；前記アーム連結部に各々ピボット連結される一対のアームと；前記各アームに一端が連結され、傾くように下側に延長される一対のリンクと；前記中空形状の筒体に上下方向に設置されるコイルバネと；前記コイルバネの上端を支持する加圧片が上端に連結され、前記コイルバネを貫通し、前記貫通孔を経て下部に延長され、下部に係止部が形成されたラック部分が設けられたロッドと；前記ヘッド部の下側に離隔されて配置され、前記各リンクの他端が両側面にピボット連結され、内部には、前記ラック部分が移動可能に挿入される貫通ホールが設けられたカバーと、前記カバーに装着され、外部に露出され、ユーザの操作が可能な押圧部と、前記押圧部の操作によって前記ラック部分の係止部と係合・分離可能な係合部を有するフック部材とを含む弾性力調節部と；を含む。
【００１１】
本発明の実施例によれば、前記ラック部分の係止部は、歯形を成す溝が下側に傾いたラック歯形で形成され、前記フックの係合部は、前記ラック歯形と係合する対応歯形を有する形態で形成され、係止部と係合部が歯形結合された状態でラック部分を下側に押す力が作用する時は、力が伝達され、フックがラック部分を上側に引く力が作用する時は、フックの係合部が係止部歯形に沿ってスリップ移動するように構成される。
【００１２】
本発明の実施例によれば、前記フックは、前記弾性力調節部のカバー内部に前記貫通ホールの側面に配置された設置空間部に中心部が回動自在に連結され、上端は、前記カバーの外部に延長されて前記押圧部を形成し、下端は、前記ラック部分の係止部に向かって延長されて係合する前記係合部を形成し、前記フックには、前記押圧部が押圧されない状態では、前記係合部が前記ラック部分の係止部と係合状態を維持するようにするバネが設置される。
【００１３】
本発明の実施例によれば、前記フックは、前記弾性力調節部の前面に１個設置される。
【００１４】
本発明の実施例によれば、前記ラック部分の表面には、腕力器の弾性力の強度を示すことができる数字、文字または記号からなる表示部が設けられ、前記ラック部分に表示された前記表示部が前記カバー外側に露出される状態によって腕力器の調節された弾性力強度を把握することができるように構成される。
【発明の効果】
【００１５】
本発明によれば、腕力器の弾性力強度の調節を容易に行うことができる構造の腕力器を提供する。本発明によれば、弾性力調節部の押圧部を押圧し、アームの位置を調節することによって、アームの運動開始位置が変更され、押圧部を解除することによって、アームの運動開始位置が固定される。運動開始位置を変更するときは、アームは、コイルバネの力が作用しない無負荷状態であるため、調節が容易であり、左右アームは、リンクで互いに連結されているので、一方のアームを動かす動作によって左右のアームが一緒に移動し、これにより、位置調節を容易に行うことができる。
【００１６】
また、運動開始位置に該当するアーム間の距離を広げようとする場合、アームを把持し、拡開する動作によって少ない力でもアームの運動開始位置が調節される。
【００１７】
また、本発明は、保管時に簡単にアームが完全に折れた状態で保管することが可能であり、アームが完全に折れた保管状態でアームを運動開始位置に変更することを容易に行うことができる。
【図面の簡単な説明】
【００１８】
【図１】本発明の一実施例による腕力器の斜視図である。
【図２】本発明の一実施例による腕力器の断面図である。
【図３】図２のＡ部分の拡大断面図である。
【図４】本発明の一実施例による腕力器において弾性力の強度を把握することができる表示部を有する形態を示す。
【図５】本発明の一実施例による腕力器においてアームの運動開始位置を調節する過程を示すための図である。
【図６】本発明の一実施例による腕力器においてアームの運動開始位置を調節する過程を示すための図である。
【図７】本発明の一実施例による腕力器においてアームが折れ位置に位置変更されたことを示す図であって、保管時のアームの位置を示す。
【図８】本発明の他の実施例による腕力器の正面図及び断面図である。
【発明を実施するための形態】
【００１９】
以下、添付の図面を参照して、本発明の実施例を詳細に説明する。
図１は、本発明の一実施例による腕力器の斜視図であり、図２は、本発明の一実施例による腕力器の断面図であり、図３は、図２のＡ部分の拡大断面図である。
【００２０】
図示のように、本発明による腕力器は、ヘッド部１０、一対のアーム２０、コイルバネ３０、ロッド４０、一対のリンク５０及び弾性力調節部６０を含む。
【００２１】
本発明によれば、ヘッド部１０の中心部には、上端が開放された中空形状の筒体１１が形成される。中空形状の筒体１１の底面１３には、ロッド４０が通過する貫通孔１２が形成される。また、貫通孔１２を通じたロッド４０の移動をガイドするために、貫通孔１２に連通するホールが形成されたロッドガイド１５を設けることができる。また、中空形状の筒体１１の上端には、蓋体（図示せず）を設けることができる。中空形状の筒体１１は、内部にバネが設置されるバネ設置空間を形成し、後述するように、コイルバネ３０が設置され、圧縮及び復元動作を行う。
【００２２】
ヘッド部１０の両側面には、左右アーム２０の上端がピボット連結されるアーム連結部１４が形成される。左右アーム連結部１４の各々には、左右アーム２０の上端がピボット連結され、アーム２０は、アーム連結部１４を回転中心として時計方向及び反時計方向に回転し、運動開始位置と折れ位置との間で往復運動可能である。
【００２３】
アーム２０は、ヘッド部１０の中空形状の筒体１１に設置されたコイルバネ３０と作動的に連結され、コイルバネ３０の非圧縮状態でアームの位置に対応する運動開始位置でユーザが力を加えてアームを接近移動させれば、コイルバネ３０が圧縮されながらアームの移動を妨害する力を提供する。アームが最大に接近した位置に該当する折れ位置にアームが移動した後、ユーザが加えられた力を解除すれば、アーム２０は、コイルバネ３０の復元力によって運動開始位置に戻る。ユーザは、アームを運動開始位置と折れ位置との間で繰り返し移動させることによって運動を行う。
【００２４】
後述するが、本発明によれば、アームの運動開始位置を調節することが可能であるが、腕力器で提供される力は、アームが運動開始位置から折れ位置に移動されるとき、コイルバネ３０で発生する弾性力であって、アームの運動開始位置でアーム間の距離が遠くなるほど、すなわちアーム間の角度が大きくなるほど、腕力運動時に提供される弾性力の強度が大きくなる。本発明は、腕力器において運動開始位置に該当するアーム間の距離を調節可能にして、弾性力の強度調節を可能にする。
【００２５】
本発明によれば、中空形状の筒体１１には、コイルバネ３０が設置される。コイルバネ３０の下端は、中空形状の筒体１１の底面１３によって支持され、上端は、加圧片４５によって支持される。加圧片４５は、ロッド４０に連結され、ロッド４０が下側に引かれれば、コイルバネ３０を下側に加圧して圧縮させる。
【００２６】
本発明の実施例によれば、コイルバネ３０の内側に追加のコイルバネを設置することができる。したがって、本発明は、コイルバネ３０の大きさ及び中空形状の筒体１１の大きさを増加させることなく、追加のコイルバネをコイルバネ３０の内側に設置することによって、腕力器で提供可能な弾性力を増加させることが可能である。
【００２７】
本発明の実施例は、ロッド４０を含む。ロッド４０は、加圧片４５に上端が連結され、コイルバネ３０の中心を通じて下側に延長され、中空形状の筒体１１の底面１３に形成された貫通孔１２を通じて下側に延長される。ロッド４０の下部は、弾性力調節部６０の貫通ホール６２の内側に挿入されるように延長され、ロッド４０の下部部分は、弾性力調節部６０と作動的に連結されるラック部分６５を形成する。ロッド４０は、ラック部分６５を含めて１つの部材で形成することができ、または、別個の部材で形成し、一体に動作するように結合することができる。しかし、本発明はこのような実施例に限定されるものではない。
【００２８】
本発明の実施例によれば、アーム２０と弾性力調節部６０との間には、リンク５０が設置される。リンク５０の一端は、アーム連結部１４の下側でアーム２０にピボット連結され、弾性力調節部６０に向かって下側に傾くように延長され、他端が弾性力調節部６０のカバー６１にピボット連結される。したがって、アーム２０の接近運動は、リンク５０によって弾性力調節部６０に伝達され、弾性力調節部６０の下方移動に連結される。
【００２９】
本発明の実施例によれば、弾性力調節部６０は、上下方向に貫通ホール６２が形成されたカバー６１を含む。本発明の実施例によれば、カバー６１は、前後面カバーが固定ねじなどによって結合されて形成される。
【００３０】
ロッド４０は、弾性力調節部６０の貫通ホール６２に移動可能に挿入され、前述したように、貫通ホール６２に挿入されたロッド４０の下部は、ラック部分６５を形成する。
【００３１】
ラック部分６５の表面には、係止部６６が形成される。好ましくは、係止部６６は、多数のラック歯形６７を有する歯形部で形成される。フック７０の係合部７２には、前記ラック歯形６７と係合する対応歯形７３が設けられていて、係止部６６は、係合部７２と歯形結合する。
【００３２】
ラック歯形６７は、歯形を形成する溝が下側に傾いた形態で形成され、フック７０とラック部分６５の歯形結合時に、ラック部分６５を下側に押す力が作用する時は力が伝達され、ラック部分６５が下側に移動するが、フック７０がラック部分６５を上側に引く力が作用する時は、所定以上の力が作用すれば、フック７０の係合部７２が係止部６６の歯形に沿ってスリップ移動しながら係合部７２が係止部６６に沿って上側に移動する。すなわち、フック７０がラック部分６５を下側に押す力はそのまま伝達され、ラック部分６５が下側に移動するが、フック７０がラック部分６５を引く力に対しては、スリップ移動が起きながらラック部分６５は移動せずに、フック７０が上方に移動するようになる。
【００３３】
本発明の実施例によれば、弾性力調節部６０は、ラック部分６５と係合するフック７０を含む。カバー６１内側の貫通ホール６２の両側面にフック７０が設置される設置空間部６３が形成され、設置空間部６３には、フック軸６４が形成される。フック７０は、中心部に形成された軸孔７１を通じて前記フック軸６４に設置される。図１〜図３には、フック７０が互いに対向するように一対で設置された形態を図示しているが、図８に示されたように、１つのフック７０が設置される変形例も可能であり、フックの個数によって本発明は制限されない。
【００３４】
図１〜図３を参照すれば、フック７０は、貫通ホール６２の両側面に設けられ、各フック７０は、中心部にフック軸６４のために形成された軸孔７１を有し、下端には、前記ラック部分６５の側面に形成された係止部６６に係止され、コイルバネ３０が圧縮される方向に力の伝達が可能な係合部７２が設けられる。好ましくは、前記係合部７２は、前述したように、ラック部分６５の係止部６６に形成されたラック歯形６７と係合する対応歯形７３を有する。
【００３５】
フック７０の上端は、カバー６１の側面方向に外側に突出するように配置され、上端が押圧部７５を形成する。
【００３６】
本発明の実施例によれば、フック７０は、バネ７７によって、フック７０の係合部７２がラック部分６５の係止部６６と係合状態を維持するように弾性支持される。したがって、押圧部７５が押圧されない状態で、ラック部分６５の係止部６６とフックの係合部７２が互いに係合状態を維持し、押圧部７５の押圧によってフック７０がフック軸６４を中心に回転しながら係合が解除される。
【００３７】
バネ７７は、前記設置空間部６３内に一端が固定され、他端はフック７０に固定され、フック７０の押圧部７５が押圧されない状態では、フック７０下端の係合部７２がラック部分６５の係止部６６と係合状態を維持するように弾性力を提供する。
【００３８】
ユーザがアーム２０を把持し、アーム２０を運動開始位置から折れ位置に向かって互いに接近する方向に力を加える場合、弾性力調節部６０は、リンク５０から運動を伝達されて、下側に移動し、リンク５０と弾性力調節部６０のカバー６１の結合によってカバー６１に伝達された力は、フック軸６４に固定されたフック７０に伝達され、フック７０の係合部７２とラック部分６５の係止部６６の結合によって力がラック部分６５に伝達され、これにより、ラック部分６５が下側に移動する。ラック部分６５と一緒にロッド４０が下側に引かれれば、加圧片４５が弾性バネ３０を押圧して圧縮させ、これにより、弾性力が発生する。
【００３９】
一方、図８を参照して弾性力調節部６０の前面に１つのフック７０が設置された実施例を見れば、ラック部分６５の前方側面に係止部６６が形成され、フック７０は、カバー６１の前方側面に形成された設置空間部６３に設置されている。フック７０は、本発明の一実施例と同様に、カバー６１に形成されたフック軸６４に回動自在に結合され、下端は、ラック部分６５の前方側面に形成された係止部６６に向かって延長され、ラック部分６５の係止部６６と結合する係合部７２を形成し、上端は、延長され、カバー６１の外側で押圧操作が可能な押圧部７５を形成する。前述したように、係止部６６及び係合部７２は、歯形結合する。図８の右側断面図から分かるように、押圧部７５を押圧する場合、フック７０がフック軸６４を中心に回動しながら係合部７２と係止部６６との結合が解除される。図８に示された実施例は、フック７０の設置位置及び設置個数が異なるだけで、図１〜図３に示された実施例と動作原理及び基本構造は同一である。
【００４０】
図１〜図３に示された実施例において、弾性力調節部６０の両側面にフック７０が各々設けられ、フック７０の係合部７２とラック部分６５の係止部６６の結合を解除するためには、両側フック７０を同時に押圧することが必要である。しかし、図８に示された実施例による場合、１つのフック７０が設けられており、弾性力調節部６０の操作時に１つのフック７０を押圧すればよいので、操作がさらに容易になる長所がある。
【００４１】
図５及び図６は、本発明の一実施例による腕力器において弾性力調節部の押圧部を操作し、アームの運動開始位置を調節する過程を示すための図である。
【００４２】
図５に示された状態で、運動開始位置が図５に比べて近く調節された図６に示された運動開始位置に、アームの位置を変更しようとする時には、フック７０の押圧部７５を押圧し、フック７０とラック部分６５との係合状態を解除することが必要である。
【００４３】
これについてさらに詳細に記述すれば、図５の状態でアームの運動開始位置を調節しようとする場合は、フック７０の押圧部７５を押圧し、フック７０によるラック部分６５の固定を解除することによって、弾性力調節部６０をラック部分６５に対して自由に移動可能にする。押圧部７５を押圧すれば、フック７０は、フック軸６４を中心にして係合部７２とラック部分６５の係止部６６との結合が解除されるように回転する。押圧部７５を押圧した状態でアームを互いに接近する方向に移動させて、アームの運動開始位置を図６に示された状態に調節することが可能である。アーム２０に対する拘束力が解除されたので、アーム２０の位置を容易に調節することができる。アーム２０の運動開始位置を図６に示された状態に調節した後、押圧部７５の押圧を解除すれば、調節された位置で係止部６６と係合部７２が互いに結合しながら、調節された位置にアーム２０の運動開始位置が固定される。
【００４４】
一方、アームの運動開始位置を本来の位置より広げようとする場合、例えば、図６に示された位置から図５に示された位置に変更しようとする場合、前述したように、押圧部７５を押圧してフック７０とラック部分６５の係合を解除し、アーム間の距離を広げることができる。
【００４５】
しかし、本発明の実施例によれば、ラック部分６５の係止部６６とフック７０の係合部７２は、ラック歯形で結合するので、さらに簡便にアーム間の距離を広げることができる。本発明の実施例によれば、係止部６６と係合部７２が歯形結合された状態で、ラック部分６５を下側に押す力が作用する時は、力が伝達され、ラック部分６５が下側に移動するが、フック７０がラック部分６５を上側に引く力が作用する時は、フック７０の係合部７２が係止部６６の歯形に沿ってスリップ移動しながら係合部７２が係止部６６に沿って上側に移動するように歯形が形成されている。
【００４６】
したがって、ユーザが運動開始位置に該当するアーム間の距離を広げるために、アーム間の距離を拡張すれば、押圧部７５を押圧しなくても、所定以上の力が作用すれば、係合部７２がラック部分６５の係止部６６のラック歯形６７に乗って移動しながら、すなわちスリップ移動しながら係止部６６に対する係合部７２の結合位置が上側に容易に移動し、これにより、アーム２０の運動開始位置を簡便に広げることができる。
【００４７】
本発明の実施例によれば、運動開始位置に該当するアーム２０間の距離は、係止部６６と係合部７２の結合位置によって調節されるため、腕力器の保管時には、図７に示されたように、アームを完全に折った状態で保管することが可能なので、保管及び運搬が容易になる。
【００４８】
また、アームが完全に折れた状態で運動が可能な状態に運動開始位置を広げようとする場合、アームを拡開する所定の力を加えれば、係合部７２がラック部分６５の係止部６６に沿ってスリップ移動しながら容易に運動可能な運動開始位置に移動するので、保管状態から運動可能な状態への変換が容易になる。
【００４９】
腕力器運動は、ユーザがアーム２０を把持し、運動開始位置で力を加えて、折れ位置に移動させることによって行われ、運動開始位置でアーム間の距離が遠くなるほど、すなわちアーム間の角度が増加するほど、折れ位置に移動させるために必要な力が増加する。したがって、アーム２０間の距離調節は、腕力器の弾性力の強度調節を伴う。したがって、ユーザは、自分の筋力に相当するように、腕力器の弾性力の強度を調節して運動をすることが可能になる。
【００５０】
図４は、本発明の実施例による腕力器において、腕力器の弾性力強度を把握することができる表示部が設けられた形態を示す。
【００５１】
図面を参照すれば、ラック部分６５の前方表面には、調節された弾性力の強度状態を段階的に表示した数字、文字または記号からなる表示部８０が設けられる。表示部８０は、運動開始位置変更によって弾性力調節部６０のカバー６１に対するラック部分６５の挿入長さが変更されることによって、カバー６１の上部外側に露出される部分の長さが変更される。図４に示された実施例によれば、表示部８０は、上側から下側に数字６から１のように逆順に表示されているが、各数字は、腕力器で提供される弾性力の強度を相対的に表示したものである。
【００５２】
運動開始位置に該当するアーム２０間の距離が遠いほど、すなわちアーム２０間の角度が大きいほど、アームを運動開始位置から折れ位置に移動させるために必要な力、すなわち弾性力の強度が増加する。アーム２０は、リンク５０を通じて弾性力調節部６０で連結されているので、アーム２０の運動開始位置は、弾性力調節部６０に挿入されたロッド４０の長さと関連する。運動開始位置に該当するアーム２０間の距離が遠くなれば、弾性力調節部６０のカバー６１の位置が上部に移動するようになり、これにより、ラック部分６５に対するフック７０の係合位置は、下側に移動し、ロッド４０及びラック部分６５の挿入長さは増加する。したがって、ラック部分６５の表面に弾性力の強度を表示する数字が表示された場合、露出される数字から調節された弾性力の強度を確認することができる。したがって、ユーザは、アーム２０が折れた状態で保管中に運動を開始しようとする場合、表示部８０を通じて所望の弾性力の強度を提供する運動開始位置に該当する距離でアームの位置を調節することができるようになる。
【００５３】
本発明の実施例によれば、前述したように、本発明は、弾性力調節部６０によってアームの運動開始位置及びこれと関連した弾性力の強度の調節が容易であり、保管時には、アーム２０を折れ位置に移動させた状態で保管し、携帯及び保管が容易である。
【符号の説明】
【００５４】
１０  ヘッド部
１１  中空形状の筒体
１４  アーム連結部
２０  アーム
３０  コイルバネ
４０  ロッド
５０  リンク
６０  弾性力調節部
６５  ラック部分
７０  フック  
【図１】
2011156358.tif 000003
【図２】
2011156358.tif 000004
【図３】
2011156358.tif 000005
【図４】
2011156358.tif 000006
【図５】
2011156358.tif 000007
【図６】
2011156358.tif 000008
【図７】
2011156358.tif 000009
【図８】
2011156358.tif 000010